(57)【特許請求の範囲】
【請求項１】
使用面側のトップシートを透過した液を吸収する吸収要素を備え、
前記吸収要素は、セルロースエステルフィラメントのトウを開繊して得られ且つ吸収量が自重の１．０倍以下の難吸収フィラメント集合体と、このフィラメント集合体の前記トップシート側の面に設けられるか又は周囲全体を包むように設けられた不織布からなる液透過性シートとを有する、吸収体を含んでおり、
前記吸収体における前記液透過性シートと前記フィラメント集合体とはホットメルト接着剤により貼り合わされて一体化されており、
前記フィラメント集合体は、フィラメントがトップシートに沿って前後方向に延在しており、かつフィラメントの両端が吸収要素の周縁から内側に離間しており、
前記吸収体における表面側に、前記液透過性シートの表面側から前記フィラメント集合体に達する深さで溝状に連続するエンボス凹部が形成されており、このエンボス凹部は前後方向に延在する部分を有している、
ことを特徴とする吸収性物品。
【請求項２】
前記フィラメント両端の前記吸収要素の周縁からの離間距離が１０〜１２５ｍｍとされている、請求項１記載の吸収性物品。
【請求項３】
前記エンボス凹部は、少なくとも股間部の両側に、前後方向に沿って延在するとともに前後方向中間部が幅方向中央側に膨出する形状をもって、前記トップシートの使用面側から前記吸収体におけるフィラメント集合体に達するように形成されている、請求項１又は２記載の吸収性物品。
【請求項４】
使用面側のトップシートを透過した液を吸収する吸収要素を備え、
前記吸収要素は、下層吸収体と、そのトップシート側に設けられた上層吸収体とを有しており、
前記上層吸収体は、セルロースエステルフィラメントのトウを開繊して得られ且つ吸収量が自重の１．０倍以下の難吸収フィラメント集合体と、このフィラメント集合体の前記トップシート側の面に設けられるか又は周囲全体を包むように設けられた不織布からなる液透過性シートとからなり、
前記上層吸収体における前記液透過性シートと前記フィラメント集合体とはホットメルト接着剤により貼り合わされて一体化されており、
前記上層吸収体における前記フィラメント集合体は、フィラメントがトップシートに沿って前後方向に延在しており、かつフィラメントの両端が前記下層吸収体の周縁から内側に離間しており、
前記上層吸収体における表面側に、前記液透過性シートの表面側から前記フィラメント集合体に達する深さで溝状に連続するエンボス凹部が形成されており、このエンボス凹部は前後方向に延在する部分を有している、
ことを特徴とする吸収性物品。
【請求項５】
前記下層吸収体が、パルプ繊維及び高吸収性ポリマー粒子を混合し積繊してなるものである、請求項４記載の吸収性物品。
【請求項６】
前記下層吸収体が、フィラメント集合体及び高吸収性ポリマー粒子を混合し積繊してなるものである、請求項４記載の吸収性物品。
【請求項７】
前記フィラメント両端の前記下層吸収体の周縁からの離間距離が１０〜３００ｍｍとされている、請求項４〜６のいずれか１項に記載の吸収性物品。
【請求項８】
前記エンボス凹部は、少なくとも股間部の両側に、前後方向に沿って延在するとともに前後方向中間部が幅方向中央側に膨出する形状をもって、前記トップシートの使用面側から前記上層吸収体におけるフィラメント集合体に達するように形成されている、請求項４〜７のいずれか１項に記載の吸収性物品。
【発明の詳細な説明】
【技術分野】
【０００１】
本発明は、吸収性物品に関するものである。
【背景技術】
【０００２】
幼児や大人のテープ式やパンツ型の使い捨ておむつ、生理用ナプキンなどの吸収性物品は、使用面側のトップシートと、背面側の液の透過を防止するバックシートと、これらのシート間に介在され、トップシートを透過した排泄された液を受け入れ保持する吸収要素とを基本要素としている。
この基本要素に対し、バックシートの裏面側にたとえば不織布などからなる外装シートを設け、バックシートとしてプラスチックシートを使用した場合における肌触りを改良する形態、製品の両側にいわゆるバリヤーカフスを形成する形態など、ウエスト周りや腹周りのフィット性を改良するために弾性伸縮性を付与する形態などが、適宜付加される。
使用面側のトップシートを透過した液を受け入れ保持する吸収要素としては、従来は、パルプ短繊維の積繊体が一般的に使用されている。また、液に吸収量を高めるために高吸収性ポリマー粒子（以下「ＳＡＰ」ともいう。）を使用することも知られている。
ＳＡＰはパルプ短繊維の積繊体上に散布する場合のほか、パルプ短繊維のＳＡＰを分散保持させ積繊体させる場合（特許文献１）がある。
一方、近年では、特表２００２−５２４３９９号（ＷＯ９９／２７８７９：特許文献２）及び特表２００４−５００１６５号（米国特許第６，６４６，１８０号：特許文献３）に示されるように、セルロースアセテートのトウを液体取得層、つまり吸収要素として使用することが提案されている。この吸収要素では、トウを構成するフィラメントは前後方向に沿って、吸収要素の前後端部まで延在している。
【先行技術文献】
【特許文献】
【０００３】
【特許文献１】特開２００４−６５３００号公報
【特許文献２】特表２００２−５０８２１８号（ＷＯ９９／２７８７９）公報
【特許文献３】特表２００５−５１５０２０号公報
【特許文献４】特開２００３−３３３９８号公報
【特許文献５】米国特許出願公開第２００５／００３１８５２号明細書
【特許文献６】特開２００１−２７９５４２号公報
【特許文献７】特開２００１−９５８４６号公報
【発明の概要】
【発明が解決しようとする課題】
【０００４】
しかしながら、セルロースアセテートのトウのように、それ自体吸水性が殆ど無い難吸収フィラメントが束状に集合したフィラメント集合体を用いた吸収要素では、フィラメントの連続方向に沿って液が拡散し易く、フィラメントの両端が吸収要素の周縁まで延在していると、当該端部に多量の液が素早く供給されることに起因して漏れが発生することがあった。
そこで、本発明の主たる課題は、吸収要素の縁部に対する液の過供給に起因する漏れを防止することにある。
【課題を解決するための手段】
【０００５】
上記課題を解決した本発明は次記のとおりである。
＜請求項１記載の発明＞
使用面側のトップシートを透過した液を吸収する吸収要素を備え、
前記吸収要素は、セルロースエステルフィラメントのトウを開繊して得られ且つ吸収量が自重の１．０倍以下の難吸収フィラメント集合体と、このフィラメント集合体の前記トップシート側の面に設けられるか又は周囲全体を包むように設けられた不織布からなる液透過性シートとを有する、吸収体を含んでおり、
前記吸収体における前記液透過性シートと前記フィラメント集合体とはホットメルト接着剤により貼り合わされて一体化されており、
前記フィラメント集合体は、フィラメントがトップシートに沿って前後方向に延在しており、かつフィラメントの両端が吸収要素の周縁から内側に離間しており、
前記吸収体における表面側に、前記液透過性シートの表面側から前記フィラメント集合体に達する深さで溝状に連続するエンボス凹部が形成されており、このエンボス凹部は前後方向に延在する部分を有している、
ことを特徴とする吸収性物品。
【０００６】
（作用効果）
本発明では、フィラメントの両端が吸収要素の周縁から内側に離間しているため、液がフィラメントを伝ってその両端まで拡散したとしても、吸収要素の周縁の手前で拡散を止めることができる。よって、吸収要素の端部に対する液の過供給が抑制されるようになり、漏れ防止が図られるようになる。
なお、本発明の吸収量とは次の手順で測定されるものである。
(1)  サンプル繊維を５．０ｇ秤量し、人工尿１Ｌ中に５分間浸漬する。
(2)  次に、サンプルを人工尿中から取り出して１分間吊り下げる。
(3)  次に、遠心分離機を用いて２２５０ｒｐｍで６分間液分を分離する。
(4)  次に、サンプルの重量を測定し、繊維重量（５．０ｇ）を差し引いた値を吸収量とする。
【０００７】
また、このような構造を採用すると、後述する製造方法を用いて容易に製造することができる。すなわち、トウを開繊して得られるフィラメント集合体は、散けたり、型崩れを起こしたりし易いため、製造上の取り扱いが困難な素材である。このため、従来の吸収体の製造においては、フィラメント集合体を連続状のままで取り扱い、個々の吸収体への切断を利用して、フィラメント集合体の切断も行っていた。
しかし、このような製造方法では、フィラメントの両端が吸収要素の周縁まで延在している吸収体しか製造することができず、前述したような漏れの問題を回避することができない。このため、フィラメントの集合体を吸収体内の所望の位置に配置できる製造技術の開発が望まれた。
これに対して、後述するように、切断に先立って、連続状のフィラメント集合体を、連続状の液透過性シートに貼り付けるか又は液透過性シートで包むと、フィラメント集合体が散けたり、型崩れを起こしたりし難くなる。またシートと一体化されたフィラメント集合体に対しては、スリップカッターのようなシート向けの加工装置を用いることができ、特別な設備を要せずにフィラメントの集合体を吸収体内の所望の位置に配置できるようになる。
【０００８】
＜請求項２記載の発明＞
前記フィラメント両端の前記吸収要素の周縁からの離間距離が１０〜１２５ｍｍとされている、請求項１記載の吸収性物品。
【０００９】
（作用効果）
フィラメント両端と吸収要素の周縁との離間距離が本項記載の範囲内にあると、他の性能を損ねることなく、前述の漏れ防止効果に優れたものとなる。離間距離が短すぎると、漏れ防止効果に乏しくなるおそれがある。
【００１０】
＜請求項３記載の発明＞
前記エンボス凹部は、少なくとも股間部の両側に、前後方向に沿って延在するとともに前後方向中間部が幅方向中央側に膨出する形状をもって、前記トップシートの使用面側から前記吸収体におけるフィラメント集合体に達するように形成されている、請求項１又は２記載の吸収性物品。
【００１１】
（作用効果）
この場合、幅方向中央の使用面を両脇よりも隆起させ、股間や臀裂に対するに対するフィット性を高めることができる。
【００１２】
＜請求項４記載の発明＞
使用面側のトップシートを透過した液を吸収する吸収要素を備え、
前記吸収要素は、下層吸収体と、そのトップシート側に設けられた上層吸収体とを有しており、
前記上層吸収体は、セルロースエステルフィラメントのトウを開繊して得られ且つ吸収量が自重の１．０倍以下の難吸収フィラメント集合体と、このフィラメント集合体の前記トップシート側の面に設けられるか又は周囲全体を包むように設けられた不織布からなる液透過性シートとからなり、
前記上層吸収体における前記液透過性シートと前記フィラメント集合体とはホットメルト接着剤により貼り合わされて一体化されており、
前記上層吸収体における前記フィラメント集合体は、フィラメントがトップシートに沿って前後方向に延在しており、かつフィラメントの両端が前記下層吸収体の周縁から内側に離間しており、
前記上層吸収体における表面側に、前記液透過性シートの表面側から前記フィラメント集合体に達する深さで溝状に連続するエンボス凹部が形成されており、このエンボス凹部は前後方向に延在する部分を有している、
ことを特徴とする吸収性物品。
【００１３】
（作用効果）
この場合、上層吸収体に供給された液分が上層吸収体内を通りフィラメントの両端に達したとしても、そこで液の拡散が止まり、吸収要素の周縁までは拡散しない。そして、上層吸収体内に拡散した液分は下層吸収体に移行して保持されるようになる。よって、吸収要素の端部に対する液の過供給が抑制されるようになり、漏れ防止が図られるようになる。
【００１４】
また、このような構造を採用すると、後述する製造方法を用いて容易に製造することができる。すなわち、トウを開繊して得られるフィラメント集合体は、散けたり、型崩れを起こしたりし易いため、製造上の取り扱いが困難な素材である。このため、従来の吸収体の製造においては、フィラメント集合体を連続状のままで取り扱い、個々の吸収体への切断を利用して、フィラメント集合体の切断も行っていた。
しかし、このような製造方法では、フィラメントの両端が吸収要素の周縁まで延在している吸収体しか製造することができず、前述したような漏れの問題を回避することができない。このため、フィラメントの集合体を吸収体内の所望の位置に配置できる製造技術の開発が望まれた。
これに対して、後述するように、切断に先立って、連続状のフィラメント集合体を、連続状の液透過性シートに貼り付けるか又は液透過性シートで包むと、フィラメント集合体が散けたり、型崩れを起こしたりし難くなる。またシートと一体化されたフィラメント集合体に対しては、スリップカッターのようなシート向けの加工装置を用いることができ、特別な設備を要せずにフィラメントの集合体を吸収体内の所望の位置に配置できるようになる。
【００１５】
＜請求項５記載の発明＞
前記下層吸収体が、パルプ繊維及び高吸収性ポリマー粒子を混合し積繊してなるものである、請求項４記載の吸収性物品。
【００１６】
（作用効果）
下層吸収体は、吸収した液を保持（貯蔵）する役割を担うため、本項記載のように吸水量に優れる吸収体を採用するのが好ましい。
【００１７】
＜請求項６記載の発明＞
前記下層吸収体が、フィラメント集合体及び高吸収性ポリマー粒子を混合し積繊してなるものである、請求項４記載の吸収性物品。
【００１８】
＜請求項７記載の発明＞
前記フィラメント両端の前記下層吸収体の周縁からの離間距離が１０〜３００ｍｍとされている、請求項４〜６のいずれか１項に記載の吸収性物品。
【００１９】
（作用効果）
フィラメント両端と下層吸収体の周縁との離間距離が本項記載の範囲内にあると、他の性能を損ねることなく、前述の漏れ防止効果に優れたものとなる。離間距離が短すぎると、漏れ防止効果に乏しくなり、長すぎると上層吸収体による拡散距離が短くなり、拡散性能が乏しくなるおそれがある。
【００２０】
＜請求項８記載の発明＞
前記エンボス凹部は、少なくとも股間部の両側に、前後方向に沿って延在するとともに前後方向中間部が幅方向中央側に膨出する形状をもって、前記トップシートの使用面側から前記上層吸収体におけるフィラメント集合体に達するように形成されている、請求項４〜７のいずれか１項に記載の吸収性物品。
【００２１】
（作用効果）
この場合、幅方向中央の使用面を両脇よりも隆起させ、股間や臀裂に対するに対するフィット性を高めることができる。
【発明の効果】
【００２２】
以上のとおり、本発明によれば、吸収要素の縁部に対する液の過供給が抑制され、漏れ防止が図られる等の利点がもたらされる。
【符号の説明】
【００２３】
１０…パンツ型使い捨ておむつ、１０Ａ…テープ式使い捨ておむつ、１２…外装シート、１２Ａ…バックシート、２０…内装体、３０…トップシート、４０…中間シート、５０…吸収要素、５２…難吸収フィラメント、５２Ｘ…ベール、５２Ｙ…トウ、５２Ｚ…フィラメントの集合体、５４…高吸収性ポリマー粒子、５６…吸収体、５６Ａ…上層吸収体、５６Ｂ…下層吸収体、５８…包被シート、６０、６０Ａ…バリヤーカフス、６４…バリヤーシート、７０…液不透過性シート、７２…第２液不透過性シート、８０…保持シート、Ｅ…熱融着部分。
【発明を実施するための形態】
【００２４】
以下、添付図面を参照しつつ、本発明の一実施形態について詳説する。
＜パンツ型使い捨ておむつの例＞
図１には、パンツ型使い捨ておむつの例が示されている。このパンツ型使い捨ておむつ１０は、外面（裏面）側の外装シート１２と内面（表面）側の内装体２０とを備えており、外装シート１２に内装体２０が固定されているものである。内装体２０は、尿や軟便などの液（後述する生理用ナプキンでは経血）を受け止めて吸収保持する部分である。外装シート１２は着用者に装着するための部分である。
【００２５】
（外装シート）
外装シート１２は、胴開口部ＷＯから脚開口部ＬＯの上端に至る前後方向範囲として定まる胴周り部１２Ｔと、脚開口部ＬＯを形成する部分の前後方向範囲として定まる中間部１２Ｌとを有する。胴周り部１２Ｔは、概念的に「胴周り上端部」１２Ｗと「胴周り下部」１２Ｕとに分けることができる。これらの前後方向の長さは、製品のサイズによって異なり、適宜定めることができるが、一例を挙げると、胴周り上端部１２Ｗは１５〜４０ｍｍ、胴周り下部１２Ｕは６５〜１２０ｍｍとすることができる。一方、中間部１２Ｌの両側縁は被着者の脚周りに沿うように括れており、ここが着用者の脚を入れる部位となる。この結果、外装シート１２は、全体としては略砂時計形状をなしている。図示例では、股間部における外装シート１２の幅が、内装体２０より短くされているが、この幅の関係は逆でもよいし、同一の幅でもよい。
【００２６】
外装シート１２は、図２に示すように、内装体２０が所定位置に設置され固定された後、前後に折り畳まれ、外装シート１２の前身頃１２Ｆ及び後身頃１２Ｂの両側部の接合領域１２Ａが熱融着などにより接合される。これによって、図１に示す構造の、ウエスト開口部ＷＯと一対のレッグ開口部ＬＯを有するパンツ型使い捨ておむつが得られる。
【００２７】
外装シート１２は、一層のシートで形成しても良いが、外側層と内側層とをホットメルト接着剤等の接着剤により張り合わせた二層シートで形成するのが好ましい。外側層及び内側層としては、特に限定無く使用できるが、肌触りや防水性の観点から撥水性不織布を用いるのが好ましい。外側層、内側層の各々は、複数の素材を積層してなるものであっても良い。外側層及び内側層の各厚さは適宜定めることができるが、外側層の厚さが内側層の厚さ以上であるのが好ましい。外側層及び内側層は、それぞれ坪量５〜３０ｇ／ｍ2の範囲内にあるのが好ましい。また、外側層１２Ｓの厚さは５ｍｍ以下が好ましく、内側層の厚さは１ｍｍ以下が好ましい。
【００２８】
外装シート１２には弾性伸縮部材１２Ｃ，１２Ｄが伸張状態でホットメルト接着剤等により固定されている。弾性伸縮部材１２Ｃ，１２Ｄとしては、糸状や紐状、帯状等の細長状のゴム材であれば特に限定無く使用できる。
【００２９】
より詳細には、外装シート１２の胴周り下部１２Ｕにおける外側層と内側層との間に、幅方向に沿って延在する胴回り弾性伸縮部材１２Ｃが前後方向に所定の間隔を空けて多数、例えば１５〜４０本程度平行に設けられる。
【００３０】
図１に示すように、内装体２０と重なる部分において胴回り弾性伸縮部材１２Ｃをエンボス加工や針刺し加工等により切断する、あるいは内装体２０と重なる部分には胴回り弾性伸縮部材１２Ｃを設けないことにより、収縮力を無くす若しくは弱めることができる。切断の場合、特開２００２−１７８４２８号公報に示されるように、幅方向に所定の間隔で多数箇所切断しても良く、また一箇所だけ切断しても良い。このように、内装体２０と重なる部分（一部または全部のいずれでも良い）において弾性伸縮部材１２Ｃが不連続になっていると、内装体２０に対して作用する収縮力が無くなる或いは弱くなり、内装体２０が収縮することによる吸収阻害が発生し難くなる。この弾性伸縮部材１２Ｃの切断部分または無い部分の幅は適宜定めることができる。また、図示形態と異なり、背側Ｂおよび腹側Ｆのいずれか一方のみ、胴回り弾性伸縮部材１２Ｃを不連続にすることもできる。
【００３１】
胴回り弾性伸縮部材１２Ｃの太さ、配置間隔は適宜定めることができるが、好適には、太さは１０００ｄｔｅｘ以下、特に７００〜４００ｄｔｅｘ、配置間隔は１〜２０ｍｍ、特に１〜１０ｍｍとされる。
【００３２】
一方、外装シート１２の胴回り上端部Ｕでは、外側層が胴開口部ＷＯにおいて外装シート１２の内側に折り返され、この折り返し部分と外装シート１２との間に、胴開口部ＷＯの端縁に平行に間隔を置いて胴端部弾性伸縮部材１２Ｄが伸張状態で固定されている。この胴端部伸縮部材１２Ｄの太さ、間隔および本数は適宜定めることができるが、例えば太さとしては４００〜９００ｄｔｅｘ、間隔としては３〜６ｍｍ、本数としては４〜１０本程度が好ましい。
【００３３】
（内装体）
内装体２０は、図３に示されるように、液透過性のトップシート３０と、液不透過性シート（バックシートとも呼ばれる）７０と、これらの間に介在された吸収要素５０とを備えている。この液不透過性シート７０の裏面側には、前述した外装シート１２が設けられている。さらに、内装体２０の両側部に、使用面側に突出するバリヤーカフス６０、６０が設けられている。
【００３４】
（トップシート）
トップシート３０は、液透過性の素材を用いて形成することができ、例えば、有孔又は無孔の不織布や、多孔性プラスチックシートなどを用いることができる。不織布としては、原料繊維により限定されるものではなく、例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを用いることができる。さらに、不織布は、製造法により限定されるものでもなく、例えば、スパンレース法、スパンボンド法、サーマルボンド法、メルトブローン法、ニードルパンチ法、エアスルー法、ポイントボンド法等の公知の方法により製造したものを用いることができる。このうち、柔軟性、ドレープ性を求めるのであれば、スパンレース法が好ましく、嵩高性、ソフト性を求めるのであれば、サーマルボンド法が好ましい加工方法となる。
【００３５】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３６】
（液不透過性シート）
液不透過性シート７０は、吸収体５６の裏面側に配されるシートである。液不透過性シートの素材としては、特に限定されるものではないが、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで液不透過性シートが構成される。）などを用いることができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【００３７】
（吸収要素）
吸収要素５０は、下層吸収体５６Ｂと、そのトップシート３０側に設けられた上層吸収体５６Ａとを有しており、このうち上層吸収体５６Ａが、トウを開繊して得られ且つ吸収量が自重の１．０倍以下の難吸収フィラメント５２の集合体で形成されている。そして、上層吸収体５６Ａのフィラメント５２はトップシート３０に沿って図示形態では前後方向に延在しており、かつ図２に示されるように、フィラメント５２の両端（先端及び基端）が下層吸収体５６Ｂの前縁及び後縁（吸収要素５０の周縁）から内側に離間している。
【００３８】
この場合、上層吸収体５６Ａに供給された液分が上層吸収体５６Ａ内を通りフィラメントの両端に達したとしても、そこで液の拡散が止まり、吸収要素５０の周縁までは拡散しない。そして、上層吸収体５６Ａ内に拡散した液分は下層吸収体５６Ｂに移行して保持されるようになる。
【００３９】
フィラメント５２の両端（上層吸収体５６Ａの前縁及び後縁）と、下層吸収体５６Ｂの前縁及び後縁との離間距離ｙは、対象となる装着者によって異なるため一概には言えないが、１０〜３００ｍｍ、特に５０〜１５０ｍｍであるのが望ましい。離間距離ｙが短すぎると、漏れ防止効果に乏しくなり、長すぎると上層吸収体５６Ａによる拡散距離が短くなり、拡散性能が乏しくなるおそれがある。
【００４０】
また、上層吸収体５６Ａは、フィラメント５２の両端のみならず、両側縁についても、下層吸収体５６Ｂの両側縁から離間しているのが望ましい。この離間距離ｘは、対象となる装着者によって異なるため一概には言えないが、０〜９０ｍｍ、特に０〜５０ｍｍであるのが望ましい。
【００４１】
なお、下層吸収体５６Ｂのサイズとしては、前後長さ２００〜６００ｍｍ、幅１００〜１８０ｍｍとするのが好ましく、上層吸収体５６Ａのサイズとしては、前後長さ１００〜５００ｍｍ、幅５０〜１２０ｍｍとするのが好ましい。
【００４２】
上層吸収体５６Ａをなすフィラメント５２の集合体は束状の集合体であり、散けたり、型崩れを起こしたりし易い。よって、製造上の取り扱いを容易にするために、図３に示すように、上層吸収体５６Ａのトップシート３０側面に液透過性シート４０をホットメルト接着剤等を用いて貼り付けたり、図４に示すように、上層吸収体５６Ａの周囲全体（表裏及び両側）を液透過性シート４０で一体的に包んだり、あるいは図５に示すように、上層吸収体５６Ａの裏面に液透過性シート４１をホットメルト接着剤等を用いて貼り付けるのが好ましい。前２者の場合、液透過性シート４０の一部または全部を後述する中間シートとすることができる。また、いずれの場合においても、別途、トップシート３０と上層吸収体５６Ａとの間に中間シートを設けることができる。
【００４３】
上層吸収体５６Ａを構成する難吸収フィラメント集合体は、難吸収フィラメント（実質的に連続する長繊維）で構成されたトウ（繊維束）を開繊することにより製造することができる。フィラメント５２は物品の長手方向、幅方向、または厚さ方向等、任意の方向に沿って延在させることができる。
【００４４】
難吸収フィラメント５２の材質としては、吸収量が自重の１．０倍以下の、セルロースエステルを用いる。
【００４５】
好適に採用できるセルロースエステルとしては、例えば、セルロースアセテート、セルロースブチレート、セルロースプロピオネートなどの有機酸エステル；セルロースアセテートプロピオネート、セルロースアセテートブチレート、セルロースアセテートフタレート、硝酸酢酸セルロースなどの混酸エステル；およびポリカプロラクトングラフト化セルロースエステルなどのセルロースエステル誘導体などを用いることができる。これらのセルロースエステルは単独で又は二種類以上混合して使用できる。セルロースエステルの粘度平均重合度は、例えば、５０〜９００、好ましくは２００〜８００程度である。セルロースエステルの平均置換度は、例えば、１．５〜３．０（例えば、２〜３）程度である。
【００４６】
セルロースエステルの平均重合度は、例えば１０〜１０００、好ましくは５０〜９００、さらに好ましくは２００〜８００程度とすることができ、セルロースエステルの平均置換度は、例えば１〜３程度、好ましくは１〜２．１５、さらに好ましくは１．１〜２．０程度とすることができる。セルロースエステルの平均置換度は、生分解性を高める等の観点から選択することができる。
【００４７】
セルロースエステルとしては、有機酸エステル（例えば、炭素数２〜４程度の有機酸とのエステル）、特にセルロースアセテートが好適である。ちなみに、セルロースアセテートの場合、吸収量は自重の０．１〜０．３倍程度である。セルロースアセテートの酢化度は、４３〜６２％程度である場合が多いが、特に３０〜５０％程度であると生分解性にも優れるため好ましい。特に好ましいセルロースエステルは、セルロースジアセテートである。
【００４８】
難吸収フィラメントは、種々の添加剤、例えば、熱安定化剤、着色剤、油剤、歩留り向上剤、白色度改善剤等を含有していても良い。
【００４９】
難吸収フィラメントの繊度は、例えば、１〜１６ｄｔｅｘ、好ましくは１〜１０ｄｔｅｘ、さらに好ましくは１〜５ｄｔｅｘが望ましい。フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。捲縮繊維を用いると、嵩高で軽量な吸収体を製造できるとともに、繊維間の絡み合いにより一体性の高いトウを容易に製造できる。フィラメントの断面形状は、特に限定されず、例えば、円形、楕円形、異形（例えば、Ｙ字状、Ｘ字状、Ｉ字状、Ｒ字状など）や中空状などのいずれであってもよい。フィラメントは、例えば、３，０００〜１，０００，０００本、好ましくは５，０００〜１，０００，０００本程度の単繊維を束ねることにより形成されたトウ（繊維束）の形で使用される。繊維束は、３，０００〜１，０００，０００本程度のフィラメントを集束して構成するのが好ましい。
【００５０】
トウは、フィラメント間の絡み合いが弱いため、主に形状を維持する目的で、フィラメントの接触部分を接着または融着する作用を有するバインダーを用いることができる。バインダーとしては、トリアセチン、トリエチレングリコールジアセテート、トリエチレングリコールジプロピオネート、ジブチルフタレート、ジメトキシエチルフタレート、クエン酸トリエチルエステルなどのエステル系可塑剤の他、各種の樹脂接着剤、特に熱可塑性樹脂を用いることができる。
【００５１】
バインダーとして使用する熱可塑性樹脂には、溶融・固化により接着力が発現する樹脂であり、水不溶性または水難溶性樹脂、および水溶性樹脂が含まれる。水不溶性または水難溶性樹脂と水溶性樹脂とは、必要に応じて併用することもできる。
【００５２】
水不溶性または水難溶性樹脂としては、例えば、ポリエチレン、ポリプロピレン、エチレン−プロピレン共重合体、エチレン−酢酸ビニル共重合体などのオレフィン系の単独又は共重合体、ポリ酢酸ビニル、ポリメタクリル酸メチル、メタクリル酸メチル−アクリル酸エステル共重合体、（メタ）アクリル系モノマーとスチレン系モノマーとの共重合体などのアクリル樹脂、ポリ塩化ビニル、酢酸ビニル−塩化ビニル共重合体、ポリスチレン、スチレン系モノマーと（メタ）アクリル系モノマーとの共重合体などのスチレン系重合体、変性されていてもよいポリエステル、ナイロン１１、ナイロン１２、ナイロン６１０、ナイロン６１２などのポリアミド、ロジン誘導体（例えば、ロジンエステルなど）、炭化水素樹脂（例えば、テルペン樹脂、ジシクロペンタジエン樹脂、石油樹脂など）、水素添加炭化水素樹脂などを用いることができる。これらの熱可塑性樹脂は一種又は二種以上使用できる。
【００５３】
水溶性樹脂としては、種々の水溶性高分子、例えば、ポリビニルアルコール、ポリビニルピロリドン、ポリビニルエーテル、ビニル単量体と、カルボキシル基、スルホン酸基又はそれらの塩を有する共重合性単量体との共重合体などのビニル系水溶性樹脂、アクリル系水溶性樹脂、ポリアルキレンオキサイド、水溶性ポリエステル、水溶性ポリアミドなどを用いることができる。これらの水溶性樹脂は、単独で使用できるとともに二種以上組合せて使用してもよい。
【００５４】
熱可塑性樹脂には、酸化防止剤、紫外線吸収剤などの安定化剤、充填剤、可塑剤、防腐剤、防黴剤などの種々の添加剤を添加してもよい。
【００５５】
トウは公知の方法により製造できるので詳説はしない。吸収要素５０に好適に使用できるセルロースジアセテートのトウのベールは、セラニーズ社やダイセル化学工業などにより市販されている。セルロースジアセテートのトウのベールは、密度は約０．５ｇ／ｃｍ3であり、総重量は４００〜６００ｋｇである。
【００５６】
このベールから、トウを引き剥がし、所望のサイズ、嵩となるように広い帯状に開繊する。トウの開繊幅は任意であり、例えば、幅１００〜２０００ｍｍ、好ましくは製品の吸収体の幅の１００〜３００ｍｍ程度とすることができる。また、トウの開繊度合いを調整することにより、吸収体の密度を調整することができる。
【００５７】
トウの開繊方法としては、例えば、トウを複数の開繊ロールに掛け渡し、トウの進行に伴って次第にトウの幅を拡大して開繊する方法、トウの緊張（伸長）と弛緩（収縮）とを繰返して開繊する方法、圧縮エアーを用いて拡幅・開繊する方法などを用いることができる。
【００５８】
上層吸収体５６Ａは、高吸収性ポリマー粒子を含有しないのが好ましいが、含有させることもできる。高吸収性ポリマー粒子の詳細は後述する。
【００５９】
一方、下層吸収体５６Ｂは、パルプ繊維５５及び高吸収性ポリマー粒子５４を混合し綿状に積繊してなる汎用吸収体である。下層吸収体５６Ｂは、上層吸収体と同様に長方形とすることもできるが、図示例のように、股間部の両側部を脚周りに沿って弧状に切り欠いた砂時計状の形状とすることもできる。
【００６０】
高吸収性ポリマー粒子５４とは、「粒子」以外に「粉体」も含む意味である。高吸収性ポリマー粒子５４の粒径は特に限定されるものではないが、１００〜１０００μｍ、特に１５０〜４００μｍのものが望ましい。高吸収性ポリマー粒子５４の吸水量は特に限定されるものではないが、４０ｇ／ｇ以上のものが好適である。高吸収性ポリマー粒子５４としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子５４の形状としては、通常用いられる粉粒体状のものが好適であるが、他の形状のものも用いることができる。
【００６１】
高吸収性ポリマー粒子５４としては、吸水速度が４０秒以下のものが好適に用いられる。吸水速度が４０秒を超えると、吸収体５６内に供給された液が吸収体外に戻り出てしまう所謂逆戻りを発生し易くなる。また、高吸収性ポリマー粒子５４としては、ゲル強度が１０００Ｐａ以上のものが好適に用いられる。これにより、液吸収後のべとつき感を効果的に抑制できる。
【００６２】
下層吸収体５６Ｂにおける高吸収性ポリマー粒子５４の目付け量は、当該吸収体の用途で要求される吸収量に応じて適宜定めることができる。したがって一概には言えないが、５０〜３５０ｇ／ｍ2とすることができる。高吸収性ポリマー粒子５４の目付け量を５０ｇ／ｍ2以下とすることにより、高吸収性ポリマー粒子５４の重量によって、軽量化効果が発揮されにくくなるのを防止できる。３５０ｇ／ｍ2を超えると、効果が飽和するばかりでなく、高吸収性ポリマー粒子５４の過剰により、製品に触れたときにジャリジャリした違和感を与えるようになる。
【００６３】
必要であれば、高吸収性ポリマー粒子５４は、下層吸収体５６Ｂの平面方向で密度あるいは量を調整できる。たとえば、排泄部位に他の部位より多量の高吸収性ポリマー粒子５４を存在させることができる。男女差を考慮する場合、男用は前側の密度（量）を高め、女用は中央部の密度（量）を高めることができる。また、下層吸収体５６Ｂの平面方向において局所的（例えばスポット状）に高吸収性ポリマー粒子５４が存在しない部分を設けることもできる。
【００６４】
（包被シート）
下層吸収体５６Ｂ中に高吸収性ポリマー粒子５４を含有させる場合、包被シート５８で包むのが好ましい。上層吸収体５６Ａ中に高吸収性ポリマー粒子５４を含有させる場合も同様である。この包被シート５８も吸収要素５０の構成要素である。
【００６５】
包被シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、８〜２０ｇ／ｍ2、特に１０〜１５ｇ／ｍ2のものが望ましい。
【００６６】
包被シート５８は、図３に示すように下層吸収体５６Ｂのみ包む形態の他、図６に示すように上層吸収体５６Ａ及び下層吸収体５６Ｂをまとめて包む形態も採用することができる。また、包被シート５８は、図３に示すように対象全体を包むのが望ましいが、対象の裏面及び側面のみを包被するだけでも良い（図示せず）。
【００６７】
（中間シート）
トップシート３０を透過した液を速やかに吸収体５６Ａへ移行させるために、トップシート３０の裏面に直接接触するように、トップシート３０より液の透過速度が速い中間シート（「セカンドシート」とも呼ばれる）４０を設けることができる。この中間シート４０も吸収要素５０の構成要素である。中間シート４０は、液を速やかに上層吸収体５６Ａへ移行させて吸収性能を高めるばかりでなく、吸収した液の「逆戻り」現象を防止するものである。
【００６８】
中間シート４０としては、トップシート３０と同様の素材や、スパンレース、パルプ不織布、パルプとレーヨンとの混合シート、ポイントボンド又はクレープ紙を用いることができる。特にエアスルー不織布及びスパンボンド不織布が好ましい。
【００６９】
中間シート（セカンドシート）４０は、トップシート３０の裏面に接触するように配置される。中間シート（セカンドシート）４０を設けない形態としても良い。
【００７０】
中間シート４０は、図示形態のように吸収要素５０の幅よりも狭く且つ中央に配置されているのが好ましいが、吸収要素５０の全幅にわたって設けてもよい。中間シート４０の前後方向長さは、吸収要素５０の長さと同一でもよいし、排泄部を中心にした短い長さ範囲内であってもよい。特に、中間シート４０の幅、長さは、上層吸収体５６Ａの幅、長さと同じにするのが好ましい。
【００７１】
（保持シート）
吸収要素５０として、高吸収性ポリマー粒子５４を用いる場合、図６や図８に示すように、高吸収性ポリマー粒子５４の配設部分よりも裏面側、すなわち図示形態では、下層吸収体５６Ｂまたは吸収体５６の裏面と、包被シート５８との裏面側部位（下側の部分）との間に保持シート８０を設けることができる。この保持シート８０も吸収要素５０の構成要素である。この保持シート８０は必須の構成要素ではなく、従って設けなくても良い。
【００７２】
高吸収性ポリマー粒子５４は、製造工程、あるいは消費者が使用するまでの流通過程で、移動することがある。例えば、下層吸収体５６Ｂ内に高吸収性ポリマー粒子５４を混合した場合、下層吸収体５６Ｂ内から高吸収性ポリマー粒子５４が抜け落ちることがある。抜け落ちた高吸収性ポリマー粒子群の凹凸は、消費者が使用する際に手で触ったときジャリジャリした違和感を与える。この問題点に対して、高吸収性ポリマー粒子５４の配設部分よりも裏面側に吸収性ポリマーの保持性能を有する保持シート８０を介在させると、包被シート５８のみでは足りないコシを補強して、消費者が使用する際に手で触ったとき違和感を軽減又は防止する。
【００７３】
保持シート８０の素材は、特に限定されず、高吸収性ポリマー粒子５４の保持性能を有するものであれば足りる。具体的には、不織布、捲縮パルプ、低吸収性のコットン繊維（例えば、未脱脂のコットン繊維、脱脂されたコットン繊維、レーヨン繊維を撥水剤や疎水化剤で処理したものなど。）、ポリエチレン繊維、ポリエステル繊維、アクリル繊維、ポリプロピレン繊維、絹、綿、麻、ナイロン、ポリウレタン、アセテート繊維等を例示することができる。
【００７４】
保持シート８０を不織布とする場合、その保持シート８０は、ＫＥＳ試験に基づく圧縮エネルギーが０．０１〜１０．００ｇｆｃｍ／ｃｍ2、好ましくは、０．０１〜１．００ｇｆｃｍ／ｃｍ2で、かつ圧縮レジリエンスが１０〜１００％、好ましくは、７０〜１００％の不織布であるとよい。
【００７５】
保持シート８０を設ける理由は、たとえば吸収体５６から下方に抜け落ちた（抜け出た）高吸収性ポリマー粒子５４を保持することにある。したがって、抜け出た高吸収性ポリマー粒子５４に対して、包被シート５８及び保持シート８０を介して使用者に接触するので、使用者にジャリジャリした違和感として、伝わるおそれがない。特に上記の縮エネルギー及び圧縮レジリエンスである不織布であると、保持機能が十分に発揮される。
【００７６】
また、抜け出た高吸収性ポリマー粒子５４は、保持シート８０によって保持され、包被シート５８上を移動することがないため、吸収能力の偏在が生じるおそれもない。特に、保持シート８０上を高吸収性ポリマー粒子５４が移動を防止するために、予め粘着性を有するホットメルト接着剤などを保持シート８０上に塗布することができる。また、保持シート８０の上面（使用面側に向かう面）を粗面とすることで、保持シート８０上を高吸収性ポリマー粒子５４が移動を防止するようにしてもよい。このための粗面化又は毛羽立ち手段としては、不織布の製造時におけるネット面でない非ネット面とする、マーブル加工を行う、ニードルパンチにより加工する、ブラシッング加工するなどを挙げることができる。
【００７７】
保持シート８０は、図６等に示すように吸収体５６の下方にのみ設けても、また図示しないが、吸収体５６の側面を通り吸収体５６の上面にまで巻き上げて延在させてもよい。また、保持シート８０を複数枚重ねて使用することも可能である。
【００７８】
上記例は、吸収体５６と包被シート５８の裏面側部位との間に保持シート８０を設ける例であるが、保持シート８０は、包被シート５８より裏面側であってもよく（その形態は図示していない）、要は、吸収体５６に対して裏面側に保持シート８０を設ければ、製品の裏面から触る場合におけるジャリジャリした違和感を軽減させるあるいは生じさせないものとなる。
【００７９】
保持シート８０を吸収体５６と液不透過性シート７０との間に設ける場合、難吸収フィラメント集合体よりも吸収量の多い繊維集合体、例えば吸収量が５〜３０倍程度の繊維集合体を用いて保持シート８０を形成すると、保持シート８０により吸収体５６の吸水性能を補うことができ、初期吸収速度および拡散性を向上できるため好ましい。させることができる。
【００８０】
（他の吸収要素の形態）
吸収要素５０の下層吸収体５６Ｂは、上記例のようにパルプ繊維５５と高吸収性ポリマー粒子５４の混合積繊体とするのが好ましいが、上層吸収体５６Ａと同様の難吸収フィラメント５２の集合体に、高吸収性ポリマー粒子５４を含有させることもできる。この場合、高吸収性ポリマー粒子５４は、フィラメント５２の集合体に対して、実質的に厚み方向全体に分散されるのが望ましい。この実質的に厚み方向全体に分散されている状態を図３の要部拡大図に概念的に示した。なお、フィラメント集合体の上部、下部、及び中間部に高吸収性ポリマー粒子５４が無い、あるいはあってもごく僅かである場合には、「厚み方向全体に分散されている」とは言えない。したがって、「厚み方向全体に分散されている」とは、フィラメント集合体に対し、厚み方向全体に「均一に」分散されている形態のほか、上部、下部及び又は中間部に「偏在している」が、依然として上部、下部及び中間部の各部分に分散している形態も含まれる。また、一部の高吸収性ポリマー粒子５４がフィラメント集合体表面に残存している形態や、一部の高吸収性ポリマー粒子５４がフィラメント集合体から抜け落ちて包被シート５８上にある形態、保持シート８０上にある形態も排除されるものではない。
【００８１】
また、吸収要素５０は、図８に示すように、前述の難吸収フィラメント集合体からなる単層の吸収体５６を有する構造としても良い。この場合、フィラメント両端の吸収要素５０の周縁からの離間距離、つまり吸収体５６の前縁及び後縁と吸収要素５０の前縁及び後縁との離間距離が１０〜１２５ｍｍであるのが望ましく、特に５０〜１２５ｍｍであるのが望ましい。この離間距離が短すぎると漏れ防止効果に乏しくなるおそれがある。その他は、基本的に前述の上層吸収体５６Ａと同様であり、セカンドシート４０等の液透過性シートを貼り付ける、後述のエンボス凹部Ｆを設ける等、適宜の構成を採用することができる。
【００８２】
また、吸収要素５０は、図示しないが三層以上の吸収体を有する構造としても良い。この場合、トップシート３０側に位置する一つまたは複数の吸収体が前述の難吸収フィラメント集合体で形成される。
【００８３】
吸収要素５０として、複数の吸収体を積層する場合、全て同じ素材構成とすることも、またいずれか一つ又は複数の層を他の層に対して異なる素材構成とすることもできる。また、層数によらず、高吸収性ポリマー粒子のみからなる層を有しないのが好ましい。
【００８４】
（バリヤーカフス）
製品の両側に設けられたバリヤーカフス６０、６０は、トップシート３０上を伝わって横方向に移動する尿や軟便を阻止し、横漏れを防止するために設けられている。
【００８５】
図示のバリヤーカフス６０は、撥水性不織布シートを二重にしたものであり、吸収体５６の裏面側からトップシート３０の下方への折り込み部分を覆って、表面側に突出するように形成されている。防漏性を高めるために、特に、二重の不織布シート間に第２液不透過性シート７２が挿入され、表面側に突出するバリヤーカフス６０の途中まで延在している。
【００８６】
また、バリヤーカフス６０自体の形状は適宜に設計可能であるが、図示の例では、バリヤーカフス６０の突出部の先端部及び中間部に弾性伸縮部材、たとえば糸ゴム６２が伸張下で固定され、使用状態においてその収縮力により、バリヤーカフス６０が起立するようになっている。中間部の糸ゴム６２が先端部の糸ゴム６２、６２よりも中央側に位置してトップシート３０の前後端部に固定される関係で、図３のように、バリヤーカフス６０の基部側は中央側に向かって斜めに起立し、中間部より先端部は外側に斜めに起立する形態となる。
【００８７】
（エンボス加工）
図３や図７等に示すように、トップシート３０の表面側から吸収体５６Ａ（または５６Ｂ）の厚さ方向一部または略全体に達するようにエンボスによる凹部Ｆが形成されている。このようなエンボスによる凹部Ｅ，Ｆを形成させるためには、中間シート４０としては、坪量が８〜６０ｇ／ｍ2、厚さ０．２〜１．５ｍｍ、トップシート３０としては、坪量が１５〜８０ｇ／ｍ2、厚さ０．２〜３．５ｍｍの範囲にあるのが、透液性を阻害しない条件で、十分なエンボス加工を行えるため好ましい。
【００８８】
【００８９】
【００９０】
エンボスによる凹部Ｅ，Ｆはその延在方向に液を誘導し拡散させる効果がある。また剛性を高める効果もある。よって、エンボスによる凹部Ｅ，Ｆの形態はこれらの効果を考慮して決定するのが望ましい。本発明では、凹部は、実質的に溝状に連続するもの（複数の凹部が間隔を空けて列なり一つの溝を形成する場合を含む）とされる。また、平面パターンとしては、溝状の凹部が、製品の長手方向、あるいは格子状に配置された形態等を採ることができる。
【００９１】
特に、エンボス凹部としては、図２に示す平面パターンで、図３等に示すようにトップシート３０の表面側から上層吸収体５６Ａに達するように形成するのが好ましい。この平面パターンのエンボス凹部Ｆは、少なくとも股間部の両側に、前後方向に沿って延在するとともに前後方向中間部が幅方向中央側に膨出する弧状部分を有する。このような弧状部分を有すると、幅方向中央の使用面を両脇よりも隆起させ、股間や臀裂に対するフィット性を高めることができる。また、図示形態のエンボス凹部Ｆでは、内側の弧状部分の前後端部間が幅方向に延びる部分により繋がれており、排泄部位が環状のエンボス凹部Ｆにより取り囲まれている。また、両側の弧状部分は、図示のように幅方向に間隔を空けて複数形成されている。この結果、不必要な液の拡散がエンボス凹部Ｆにより抑制され、漏れ防止効果に優れるようになる。
【００９２】
（その他）
なお、図示しないが、内装体２０の各構成部材は、ホットメルト接着剤などのベタ、ビードまたはスパイラル塗布などにより相互に固定することができる。
【００９３】
（テープ式使い捨ておむつの例）
一方、図９及び図１０はテープ式使い捨ておむつの例を示している。図１０は図９における９−９線矢視図であるが、内装体２０についてはやや誇張して図示してある。
【００９４】
テープ式使い捨ておむつ１０Ａは、おむつの背側両側端部に取り付けられたファスニング片を有し、このファスニング片の止着面にフック要素を有するとともに、前記おむつの裏面を構成するバックシートを不織布積層体とし、おむつの装着に当り、前記ファスニング片のフック要素を前記バックシートの表面の任意個所に係合可能となしたおむつである。
【００９５】
内装体２０は、トップシート３０と、液不透過性シート７０との間に、吸収体５６を介在させたものとなっている。この吸収体５６は、包被シート５８により全体が包まれており、平面的に視て長方形をなしている。吸収体５６と包被シート５８との間には保持シート８０が設けられている。
【００９６】
さらに、トップシート３０と吸収体５６との間には、中間シート４０が介在されている。液不透過性シート７０は吸収体５６より幅広の長方形をなし、その外方に砂時計形状の不織布からなるバックシート１２Ａが設けられている。
【００９７】
トップシート３０は吸収体５６より幅広の長方形をなし、吸収体５６の側縁より若干外方に延在し、液不透過性シート７０とホットメルト接着剤などにより固着されている。
【００９８】
おむつの両側部には、使用面側に突出するバリヤーカフス６０Ａが形成され、このバリヤーカフス６０Ａは、実質的に幅方向に連続した不織布からなるバリヤーシート６４と、弾性伸縮部材、例えば糸ゴムからなる１本の又は複数本の脚周り用弾性伸縮部材としての糸ゴム６２とにより構成されている。１３０は面ファスナーによるファスニング片である。
【００９９】
バリヤーシート６４の内面は、トップシート３０の側縁と離間した位置において固着始端を有し、この固着始端から液不透過性シート７０の延在縁にかけて、幅方向外方部分がホットメルト接着剤などにより固着されている。バリヤーシート６４の外面は、その下面においてバックシート１２Ａにホットメルト接着剤などにより固着されている。さらに、ガスケットカフス用弾性伸縮部材、たとえば糸ゴム６６が設けられている。
【０１００】
バリヤーシート６４の内面の、液不透過性シート７０への固着始端は、バリヤーカフス６０Ａの起立端を形成している。脚周りにおいては、この起立端より内側は、製品本体に固定されていない自由部分であり、この自由部分が糸ゴム６２の収縮力により起立するようになる。
【０１０１】
本例では、ファスニング片１３０として、面ファスナーを用いることで、バックシート１２Ａに対して、メカニカルに止着できる。したがって、いわゆるターゲットテープを省略することもでき、かつ、ファスニング片１３０による止着位置を自由に選択できる。
【０１０２】
ファスニング片１３０は、プラスチック、ポリラミ不織布、紙製などのファスニング基材の基部がバックシート１２Ａに、例えば接着剤により接合されており、先端側にフック要素１３０Ａを有する。フック要素１３０Ａはファスニング基材に接着剤により接合されている。フック要素１３０Ａは、その外面側に多数の係合片を有する。フック要素１３０Ａより先端側に仮止め接着剤部１３０Ｂを有する。製品の組立て末期において、仮止め接着剤部１３０Ｂがバリヤーシート６４に接着されることによりファスニング片１３０の先端側の剥離を防止するようにしている。使用時には、その接着力に抗して剥離し、ファスニング片１３０の先端側を前身頃に持ち込むものである。仮止め接着剤部１３０Ｂより先端側はファスニング基材が露出して摘みタブ部とされている。
【０１０３】
前身頃の開口部側には、バックシート１２Ａの内面側に、デザインシートとしてのターゲット印刷シート７４が設けられ、ファスニング片１３０のフック要素１３０Ａを止着する位置の目安となるデザインが施されたターゲット印刷がなされ、外部からバックシート１２Ａを通して視認可能なように施されている。
【０１０４】
おむつの、装着時には、おむつが舟形に体に装着されるので、そして糸ゴム６２の収縮力が作用するので、脚周りでは、糸ゴム６２の収縮力によりバリヤーカフス６０Ａが起立する。
【０１０５】
起立部で囲まれる空間は、尿又は軟便の閉じ込め空間を形成する。この空間内に排尿されると、その尿はトップシート３０を通って吸収体５６内に吸収されるとともに、軟便の固形分については、バリヤーカフス６０Ａの起立部がバリヤーとなり、その乗り越えが防止される。万一、起立部の起立遠位側縁を乗り越えて横に漏れた尿は、平面当り部によるストップ機能により横漏れが防止される。
【０１０６】
本形態において、各起立カフスを形成するバリヤーシート６４は、透液性でなく実質的に不透液性（半透液性でもよい）であるのが望ましい。また、本発明の表面シート（不織布積層体）に対してシリコン処理などにより液体をはじく性質となるようにしてもよい。いずれにしても、バリヤーシート６４及びバックシート１２Ａは、それぞれ通気性があり、かつバリヤーシート６４及びバックシート１２Ａは、それぞれ耐水圧が１００ｍｍＨ2Ｏ以上のシートであるのが好適である。これによって、製品の幅方向側部において通気性を示すものとなり、着用者のムレを防止できる。
【０１０７】
その他の点、例えば各部の使用素材等については、前述のパンツ型紙おむつの場合と同じであるため、敢えて説明を省略する。
【０１０８】
＜紙おむつの製造方法例＞
次に、本発明の吸収体製造方法を適用した紙おむつの製造方法の実施形態について説明する。
【０１０９】
（吸収要素の製造工程）
図１１は、図３や図１０等に示される吸収要素５０の製造工程例を示している。ラインに上流側から包被シート５８が供給され、次に保持シート８０を設ける場合には保持シート８０が供給される。この保持シート８０に対しては、後に供給される下層吸収体５６Ｂを固定するために、予め粘着性を有するホットメルト接着剤等の接着剤を塗布することができる。
【０１１０】
続いて、積繊ドラム装置９１においてパルプ繊維５５及び高吸収性ポリマー粒子５４を混合し積繊して形成された下層吸収体５６Ｂが、間欠的に包被シート５８または保持シート８０上に供給される。その後、下層吸収体５６Ｂは、セーラ９２を通ることにより包被シート５８により包み込まれる。
【０１１１】
一方、中間シート４０が供給され、ノズル９５から中間シート４０の上面にホットメルト接着剤等の接着剤が塗布された後、この中間シート４０の上面に、上層吸収体５６Ａとして、トウ５２Ｙを開繊してなる難吸収性フィラメント集合体５２Ｚが供給され、貼り付けられる。開繊工程の詳細は後述する。なお、本工程に代えて、上層吸収体５６Ａよりも幅広な中間シート４０を用い、中間シート４０上に難吸収性フィラメント集合体５２Ｚを配置した後、セーラを用いて中間シートの両側部を難吸収性フィラメント集合体５２Ｚの上面に折り返して包むことにより、図４に示す吸収要素を製造することができる。
【０１１２】
上層吸収体５６Ａに高吸収性ポリマー粒子を含有ささせる場合、開繊後から後の下層吸収体５６Ｂへの貼り付けに先立って、ＳＡＰ供給装置９０により難吸収性フィラメント集合体５２Ｚに高吸収ポリマー粒子を含有させることができる。ＳＡＰ供給装置９０の例については後述する。
【０１１３】
続いて、下面に中間シート４０が貼り付けられた難吸収性フィラメント集合体５２Ｚは、スリップカッター等の切断貼付装置９３により所定の長さに切断されるとともに、切断された難吸収性フィラメント集合体が下層吸収体５６Ｂ上に間欠的に貼り付けられる。つまり、所定の間隔を空けて搬送されてくる下層吸収体５６Ｂ上の所定位置に、切断された難吸収性フィラメント集合体が順次貼り付けられる。
【０１１４】
図示形態では、切断貼付装置９３の前では、中間シート４０が下、難吸収性フィラメント集合体５２Ｚが上となっているが、切断貼付装置９３により折り返されるため、吸収要素５０においては、中間シート４０が上、難吸収性フィラメント集合体５２Ｚが下となり、図３に示す形態となる。これに対して、切断貼付装置９３により折り返さないように構成すれば、図５に示す形態と同様になる。
【０１１５】
この上層吸収体５６Ａが貼り付けられた下層吸収体５６Ｂは、その後、カッター装置９４により搬送方向に分割され、個別の吸収要素５０とされる。
【０１１６】
（パンツ型の使い捨ておむつの場合）
次に、パンツ型の使い捨ておむつの場合、図１２に示すように、上方からバリヤーカフス６０の構成要素及びトップシート３０が、下方から液不透過性シート７０がそれぞれ供給される。ここで、バリヤーカフス６０を構成するバリヤーシート６４の供給ラインでは、予め、図示しない装置により２枚の不織布間に糸ゴム６２が伸張下で、かつ第２液不透過性シート７２が固定された状態での供給がなされ、トップシート３０と共に主ラインに供給される。主ラインに供給されたバリヤーカフス６０の構成要素、トップシート３０及び液不透過性シート７０は、図３等に示す形状に、セーラ９６により折り畳みがなされる。
【０１１７】
そして、カッター装置９８により切断され、長手方向が搬送方向に沿う長方形の吸収性本体２０が得られる。得られた吸収性本体２０は、転回装置１００により吸収性本体２０の長手方向がラインと直交するように９０度転回される。
【０１１８】
一方、外装シート１２のラインでは、予め２枚の不織布シート間に糸ゴム１２Ｃが介在された（図示略）状態で流れ、かつ、脚周り部分を形成するためにカッター（図示略）により楕円形にくりぬかれ、組合せステーション１０２に達すると、その上で、かつ、くりぬき部位間に転回済みの吸収性本体２０が設置され、ホットメルト接着剤などにより固定され、外装シート１２と結合される。その後、水平ラインを境にして上下に折り畳まれ、外装シート１２の前身頃１２Ｆ及び後身頃１２Ｂの両側部の接合領域１２Ａが熱融着などにより接合される。その後、ライン方向に分断して（分断手段は図示していない）個別製品が得られる。
【０１１９】
（テープ式の使い捨ておむつの場合）
他方、図１３は、図９及び図１０に示すテープ式の使い捨ておむつの製造方法例を示している。個別の吸収要素５０を得るまでは、パンツ型の場合と同様である。この個別の吸収要素に対して、上方からトップシート３０が、下方から液不透過性シート７０がそれぞれ供給され、その後にバリヤーカフス６０を構成するバリヤーシート６４が供給される。バリヤーシート６４の供給ラインでは、予め、図示しない装置により２枚の不織布間に糸ゴム６２が伸張下で固定された状態での供給がなされる。ラインの最後では、吸収性本体を備える半製品がカッター装置９８により分断され、製品１０が得られる。
【０１２０】
（開繊）
開繊工程は、例えば図１４に示す形態のラインにより実施できる。すなわち、ベール５２Ｘからトウ５２Ｙが引き出され、拡幅装置１２０を介して段階的に拡幅されながら第１ニップ１２６Ａ、第２ニップ１２６Ｂ、及び第３ニップ１２６Ｃを通り、拡厚装置１１０に導かれ、ここで厚さが拡大され、略最終的なフィラメントの集合体５２Ｚとされた後、その上に、高吸収性ポリマー粒子散布手段９０により高吸収性ポリマー粒子５４が散布供給され、しかる後にセーラ９２へと送り込まれる。ベール５２Ｘからのトウの引き出しは、第１ニップ１２６Ａ（駆動ニップロールに相当）による引き込みにより行われるようになっている。
【０１２１】
特徴的には、ベール５２Ｘから引き出されたトウ５２Ｙは、ターン部１２２により角度変えが行われた後、回転自由に構成された一対のニップロールからなるフリーニップロール１２４のニップを介して、第１ニップ１２６Ａにより引き込まれるようになっている。このような構成では、フリーニップロール１２４の移送抵抗（ニップ圧力やロール自重に応じて定まる）があたかもトウ５２Ｙの引き込み速度を抑えるブレーキとして機能し、フリーニップロール１２４以降における張力が安定するようになる。これは、フリーニップロール１２４の回転がトウの通過のみで発生するようになっていることに起因するものである。
【０１２２】
フリーニップロール１２４のニップ圧や自重は適宜定めればよいが、通常の場合、ニップ圧は０ＭＰａ超５ＭＰａ以下とするのが好ましく、また、ロール自重は、ロール一本あたり０ｋｇ超１０ｋｇ以下とするのが好ましい。この範囲内であれば、張力の安定化を容易に実現できる。
【０１２３】
かくして、トウの供給量を支配する第１ニップ１２６Ａに対するトウ５２Ｙの供給量が安定するようになり、もって吸収体のサイズ、重量、品質が安定するようになる。
【０１２４】
また、ベール５２Ｘから引き出されたトウ５２Ｙは、ベール５２Ｘとフリーニップロール１２４との間、フリーニップロール１２４と第１ニップ１２６Ａとの間、第１ニップ１２６Ａと第２ニップ１２６Ｂとの間、ならびに第２ニップ１２６Ｂと第３ニップ１２６Ｃとの間にそれぞれ設けられた拡幅装置１２０により、段階的に所望の幅まで拡幅される。この際、併せて厚さ方向にも拡大することができる。
【０１２５】
図１５及び図１６は、拡幅装置の例１２０を示している。この拡幅装置１２０は、トウを通す所定幅Ｘの角筒状通路１２０Ａと、この通路１２０Ａ内面における幅方向に沿う面に形成された圧縮エアーの噴出口１２０Ｂとを有し、通路１２０Ａ内に導入されるトウ５２Ｙを圧縮エアーの力により通路幅一杯に拡幅するものである。通路の高さは、導入されるトウ５２Ｙの厚さ以上とされており、トウ５２Ｙの厚さよりも高い場合には、トウ５２Ｙは厚さ方向にも拡大される。
【０１２６】
噴出口１２０Ｂは、図１６に示されるように、通路１２０Ａの幅方向中央に関して線対称をなし且つ通路１２０Ａの幅方向中央に向かうにつれてトウ通過方向下流側に位置するくの字状（もしくはＶ字状）スリットとされている。
【０１２７】
このようなスリット１２０Ｂからエアーを噴出させた状態で、トウが通路１２０Ａ内に進入すると、進入位置が幅方向中央からずれていたとしても、トウ５２Ｙが圧縮エアーの力をバランス良く受けるように幅方向中央側（図１３中の矢印方向）に逃げ、自然にトウ５２Ｙが通路１２０Ａの幅方向中央に案内される。つまり、拡幅のための圧縮エアーを利用してトウ５２Ｙの導入位置のセンタリングも可能になるのである。また、この形態では、トウ５２Ｙを非接触で案内するため、ガイド部材等のように接触により案内するのと比べて、トウの傷みや崩れも発生し難い利点もある。また、このようなセンタリング機能を有する拡幅装置１２０は、拡幅におけるセンタリングだけでなく移送位置の補正機能をも発揮する。
【０１２８】
上述のような圧縮エアーを利用したセンタリングを行う場合、スリットの形状はくの字状に限られず、通路１２０Ａの幅方向中央に関して線対称をなし且つ通路１２０Ａの幅方向中央に向かうにつれてトウ通過方向下流側に位置する条件を満足する限り、曲線状、円弧状等に形成することもできる。
【０１２９】
一方、第１ニップ１２６Ａと第２ニップ１２６Ｂとの間では、トウ５２Ｙにテンションをかけるように張力が付与されており、逆に第２ニップ１２６Ｂと第３ニップ１２６Ｃとの間は弛緩されるように、各ニップロールの周速度が設定されている。この結果、第１ニップ１２６Ａと第２ニップ１２６Ｂとの間でトウ５２Ｙにテンションがかけられることで、フィラメント相互の絡み合い等がある程度まで強制的に除去され、フィラメントの分離が促進されるとともに、この分離に伴って拡幅装置１２０によりトウ５２Ｙを拡幅することで、トウ５２Ｙの更なる均一な拡幅が可能となっている。また、第２ニップ１２６Ｂと第３ニップ１２６Ｃとの間でトウ５２Ｙの弛緩を行いつつ、拡幅装置１２０によりトウ５２Ｙを拡幅することで、トウ５２Ｙの更なる均一な拡幅が可能となっている。
【０１３０】
より好ましい形態では、第２ニップ１２６Ｂの一方のローラは、長手方向に小さな間隔を置いて周方向に連続する溝が多数形成される。この溝は、フィラメントが多数の溝内に入り込むことで、トウの解しを促進させる機能がある。さらに、この場合、溝の効果を高めるために、第２ニップ１２６Ｂの一方の溝付ローラにおけるトウ５２Ｙの抱き角度（トウ接触部分の回転方向角度）を大きくし、トウ５２Ｙと溝付ローラとの接触面積を大きくするのも好ましい形態である。具体的には、第２ニップ１２６Ｂ上流側のトウ５２Ｙと下流側のトウ５２Ｙとのなす角度、つまり溝付ローラによる方向転換角度が１８０度未満、特に鋭角（９０度よりも小）となるように構成することのが好ましい。
【０１３１】
また、第１ニップ１２６Ａ、第２ニップ１２６Ｂ及び第３ニップ１２６Ｃは、対をなすロールの径の組み合わせが相違しても良いが、その場合、周速度差によりロール間でトウ５２Ｙに加わる張力やロールとトウ５２Ｙとの接触抵抗などが、トウ幅方向において不均一になるおそれがあるため、全て共通するように構成するのが好ましい。
【０１３２】
次に、第３ニップ１２６Ｃを通過したトウは、拡厚装置１１０に導かれる。拡厚装置１１０は、たとえば、特開昭５９−５００４２２号公報（ＷＯ  ８３／０３２６７）に開示されたものと同様な構造であり、概略的には図１７に示すように、入口１１０Ａと出口１１０Ｂとの間にベンチュリー部１１０ｂが形成されるとともに、入口側に圧空の吹き込み口１１０ａを備えるとともに、ベンチュリー部１１０ｂに空気の排気孔１１０ｃを有するものである。平面的にはほぼ長方形をなし、図１７の紙面を貫通する方向に扁平な形状である。
【０１３３】
吹き込み口１１０ａからの圧空の吹き込みによって、エジェクター効果によって入口１１０Ａから空気が入り込み、その結果、トウ５２Ｙは引き込まれ、前進力が与えられる。トウ５２Ｙがベンチュリー部１１０ｂに至ると、空気の排気孔１１０ｃから排気が行われ、かつ、ベンチュリー部１１０ｂの空間が拡大するために、主にトウ５２Ｙの嵩が厚み方向に増加し、厚さが拡大される。なお、通路の幅を、導入されるトウ５２Ｙの幅よりも広くすることにより、図１７の下方に示すように拡幅も可能である。かくしてトウの開繊を行うことができる。
【０１３４】
（ＳＡＰ供給装置）
ＳＡＰ供給装置９０としては、フィラメント集５２Ｚ合体に対して高吸収性ポリマー粒子を実質的に厚み方向全体に分散させるものが好ましい。このような高吸収性ポリマー粒子散布手段９０としては、高吸収性ポリマー粒子自体の自重よる落下力のみならず、加速力を与える手段が望ましい。この例を図１８に示した。すなわち、下部に開口を有するケーシング９０ａ内に投射孔９０ｄを有する回転ドラム９０ｂがウェブの移動方向（図１８での反時計方向）に回転するように構成され、その内部にシャッタドラム９０ｃが設けられたものである。これらを要素とする投射部９０Ａは、高吸収性ポリマー粒子を貯留するホッパーと連結されており、ホッパーからの高吸収性ポリマー粒子５４は回転ドラム９０ｂ内に供給されるように構成されている。
【０１３５】
このＳＡＰ供給装置では、予め、ケーシング９０ａの開口位置に対し、シャッタドラム９０ｃの開口の位置調整が行われる。図１８の状態では完全一致した全開状態を示してある。また、回転ドラム９０ｂの投射孔９０ｄは、周方向に分割された群として、図示では周方向に４つの群として分割され、したがって図示では回転ドラム９０ｂが一回転する過程で、４枚分の紙おむつに対して高吸収性ポリマー粒子を散布・投射するようにしてある。
【０１３６】
フィラメント５２の集合体上に高吸収性ポリマー粒子５４を連続的に散布・投射してもよいが、吸収要素５０をカッター装置９４によりライン方向に分割し、個別の吸収要素５０とするときに、高吸収性ポリマー粒子５４の存在によりカッター装置９４の刃が短時間のうちに磨耗してしまう。そこで、高吸収性ポリマー粒子５４を連続的に散布・投射するのではなく、図１８に示すように、ゾーンＺのみに間欠的に散布・投射するようにすることが望ましい。
【０１３７】
このために、前述のように、回転ドラム９０ｂの投射孔９０ｄは、周方向に分割された群として、図示では周方向に４つの群として分割して形成することにより、高吸収性ポリマー粒子５４をゾーンＺのみに間欠的に散布・投射するようにしてあるのである。その結果、ゾーンＺ、Ｚ間でカッター装置９４により分断でき、カッター装置９４の刃の磨耗を抑制できる。
【０１３８】
なお、高吸収性ポリマー粒子の散布量は、主に投射孔９０ｄの孔径の大小、ケーシング９０ａの開口位置に対するシャッタドラム９０ｃの開口の位置調整によって調節でき、加工ラインの速度に合わせて前記開口の位置は追従させると良い。また、高吸収性ポリマー粒子の散布パターンは、分割された投射孔９０ｄ群の配置によって調節できる。
【０１３９】
一方、必要ならば、高吸収性ポリマー粒子５４を圧力空気とともに、フィラメント５２の集合体上に散布・投射することで、フィラメントの集合体に対して高吸収性ポリマー粒子が実質的に厚み方向全体に分散させることも可能である。しかし、フィラメント５２の集合体上に散布・投射した高吸収性ポリマー粒子が、圧力空気によって散乱し、所定領域外に散布されるおれがある。
【０１４０】
さらに、ＳＡＰ供給装置９０と共に、あるいはこれに換えて、フィラメントの集合体上に散布された高吸収性ポリマー粒子５４をフィラメントの集合体の下方から、吸引するようにしてもよい。
【０１４１】
また、前述の遠心分力を加えるＳＡＰ供給装置９０に代えて、単に高吸収性ポリマー粒子を自重による落下させる形式の汎用のＳＡＰ供給装置を用いることもできる。
【産業上の利用可能性】
【０１４２】
本発明は、紙おむつ、生理用ナプキン、失禁パッド、おむつカバーと併用する吸収パッド等の吸収性物品に好適なものである。
【図面の簡単な説明】
【０１４３】
【図１】パンツ型使い捨ておむつの斜視図である。
【図２】パンツ型使い捨ておむつの展開状態平面図である。
【図３】図２の３―３線断面図である。
【図４】他の例の断面図である。
【図５】別の例の断面図である。
【図６】他の例の断面図である。
【図７】別の例の断面図である。
【図８】別の例の断面図である。
【図９】テープ式使い捨ておむつの展開状態平面図である。
【図１０】図９の９−９線断面図である。
【図１１】吸収要素の製造設備例を示す概要図である。
【図１２】パンツ型紙おむつの製造設備例を示す概要図である。
【図１３】テープ式使い捨て紙おむつの製造設備例を示す概要図である。
【図１４】開繊設備の概要図である。
【図１５】拡幅装置の概要図である。
【図１６】図１４のＸＶ−ＸＶ断面図である。
【図１７】拡厚装置の概要図である。
【図１８】ＳＡＰ供給装置例の概要図である。
【図１】
0005390579.tif 000002
【図２】
0005390579.tif 000003
【図３】
0005390579.tif 000004
【図４】
0005390579.tif 000005
【図５】
0005390579.tif 000006
【図６】
0005390579.tif 000007
【図７】
0005390579.tif 000008
【図８】
0005390579.tif 000009
【図９】
0005390579.tif 000010
【図１０】
0005390579.tif 000011
【図１１】
0005390579.tif 000012
【図１２】
0005390579.tif 000013
【図１３】
0005390579.tif 000014
【図１４】
0005390579.tif 000015
【図１５】
0005390579.tif 000016
【図１６】
0005390579.tif 000017
【図１７】
0005390579.tif 000018
【図１８】
0005390579.tif 000019